(57)【要約】      （修正有）【課題】簡易な構成で設置が容易であると共に、鳥類の生物磁石を混乱させて飛来防止効果を広範囲に作用させることができる鳥類飛来防止装置を提供する。【解決手段】鳥類飛来防止装置は、前部にプロペラ羽根４２を備える回転自在なプロペラ体４０を有し、後部に尾翼６１を備える尾翼体６０を有する水平軸２０を、支柱１０の上端部に連結体３０を介して回動自在に垂設し、プロペラ体に、地磁場と異なる異常磁場を発生させる磁石体５０を取り付けて構成される。【選択図】図１
0003226269.tif 000002
【実用新案登録請求の範囲】
【請求項１】
前部にプロペラ羽根を備える回転自在なプロペラ体を有し、後部に尾翼を備える尾翼体を有する水平軸を、支柱上端部に回動自在に垂設し、前記プロペラ体に、地磁場と異なる異常磁場を発生させる磁石体を取り付けてあることを特徴とする鳥類飛来防止装置。
【請求項２】
水平軸は、前方部分を構成する前方水平軸と、後方部分を構成する後方水平軸とからなる分割体で構成されると共に、前記前方水平軸と、前記後方水平軸とは、支柱上端部に回動自在に取り付けられる連結体を介して連結され、且つ、プロペラ体は、前記前方水平軸の端部に回転自在に取り付けられる支持軸と、前記支持軸の両端に固設される一対の平板状のプロペラ羽根とで構成されると共に、前記一対の平板状のプロペラ羽根を、前記水平軸を対称軸として線対称な向きに傾斜させて配置してあることを特徴とする請求項１に記載の鳥類飛来防止装置。
【考案の詳細な説明】
【技術分野】
【０００１】
本考案は、磁力を利用して鳥類の飛来を防止することができる鳥類飛来防止装置に関する。
【背景技術】
【０００２】
鳥類、特に鳩やカラスが人間の生活環境（例えば、建物のベランダ、駅構内、神社、工場、高架下、広告塔、電柱等）に住み着いた場合の弊害が種々指摘されている。例えば、排泄した糞による異臭や美観の低下、撤去作業の煩雑さに加えて、各種病原菌（オウム病、クリプトコッカス症等）の感染源となるリスクや、糞が酸性であることに伴う金属の腐食、鳴き声による騒音被害等である。そこで、従来、鳥類、特に鳩やカラスが人間の生活環境に住み着くことを防止するための手段として、例えば、疑似目玉や、屋根や床面等に載置する針付き敷物等、各種手段が開発されている。
このような鳥類の飛来を防止するための装置として、例えば、下記特許文献１、２がある。
【先行技術文献】
【特許文献】
【０００３】
【特許文献１】特開２０１６−１５８５１７号公報
【特許文献２】実用新案登録第３２２２８８０号公報
【考案の概要】
【考案が解決しようとする課題】
【０００４】
上記特許文献１に示す従来技術は、鳥類飛来防止具に関する発明で、カラスや鳩等の大型鳥類防止用の複数本の樹脂製の長針１と、スズメやツバメ等の小型鳥類防止用の複数本の樹脂製の短針２とを混在させて樹脂製の取付用基板部３から突設させる技術が開示されている。このような構成とすることで、様々な大きさの鳥類の飛来を防止できると共に、樹脂で一体成形できるというメリットがある。
しかしながら、飛来防止具に接近或いは接触することではじめて鳥類の飛来防止効果を発揮できるものであることから、広範囲に設置することが必要であり、設置作業が煩雑になるという問題があった。
そこで、出願人は、上記特許文献２に示すように、地球磁場（わが国では約０．４５乃至０．５ガウス程度）を局部的に変動させることができる磁力を有する磁石体を張架用糸線に適宜間隔をもって多数配列させてなる鳥類飛来防止装置を開発した。しかしながら、上記特許文献２に示す鳥類飛来防止装置は、所望の設置場所に固定式に取り付けて使用するものであり、変動磁場を広範囲に発生させることがやや難しいと共に、設置にそれなりの労力が必要であるという課題があった。
【０００５】
そこで本考案は上記従来技術の問題を解消し、簡易な構成で設置が容易であると共に、鳥類の飛来防止効果を広範囲に作用させることができる鳥類飛来防止装置の提供を課題とする。
【課題を解決するための手段】
【０００６】
本考案の鳥類飛来防止装置は、前部にプロペラ羽根を備える回転自在なプロペラ体を有し、後部に尾翼を備える尾翼体を有する水平軸を、支柱上端部に回動自在に垂設し、前記プロペラ体に、地磁場と異なる異常磁場を発生させる磁石体を取り付けてあることを第１の特徴としている。
また、本考案の鳥類飛来防止装置は、上記第１の特徴に加えて、水平軸は、前方部分を構成する前方水平軸と、後方部分を構成する後方水平軸とからなる分割体で構成されると共に、前記前方水平軸と、前記後方水平軸とは、支柱上端部に回動自在に取り付けられる連結体を介して連結され、且つ、プロペラ体は、前記前方水平軸の端部に回転自在に取り付けられる支持軸と、前記支持軸の両端に固設される一対の平板状のプロペラ羽根とで構成されると共に、前記一対の平板状のプロペラ羽根を、前記水平軸を対称軸として線対称な向きに傾斜させて配置してあることを第２の特徴としている。
【考案の効果】
【０００７】
請求項１に記載の鳥類飛来防止装置によれば、鳥の被害を受ける場所に支柱を固定させるだけで鳥類飛来防止装置を容易に設置することができる。また、水平軸は、後部の尾翼を備える尾翼体により最も風を受けやすい状態となり、前部のプロペラ羽根を備えるプロペラ体が自然風を受けて自動的に回転する。よって、自然風を動力源として磁石体を回転させることができ、磁石体を固定して設置した状態では得られない異常磁場の変動性を効果的に高めることができる。また、自然風の強弱によってプロペラ体の回転速度、移動速度が変化するので、一定の移動速度でなく、常に磁石体がつくる異常磁場を変化させることができ、磁場の乱れを大きくさせ、鳥類の飛来防止効果を一段と効果的に高めることができる。
【０００８】
また、請求項２に記載の鳥類飛来防止装置によれば、上記請求項１に記載の構成による作用効果に加えて、水平軸を、前方水平軸と後方水平軸とからなる分割体で構成すると共に、支柱上端部に回動自在に取り付けられる連結体を介して前方水平軸と後方水平軸とを連結させる構成とすることで、設置前における鳥類飛来防止装置の小型化を図ることができる。また、支持軸の両端に平板状のプロペラ羽根を一対設けると共に、一対の平板状のプロペラ羽根を、水平軸を対称軸として線対称な向きに傾斜させて配置する構成とすることで、自然風を一段と効率的に受けて回転可能なプロペラ羽根とすることができる。
【図面の簡単な説明】
【０００９】
【図１】本考案の第１の実施形態に係る鳥類飛来防止装置を示す全体斜視図である。
【図２】本考案の第１の実施形態に係る鳥類飛来防止装置を示す全体側面図である。
【図３】本考案の第１の実施形態に係る鳥類飛来防止装置の分解斜視図である。
【図４】本考案の第１の実施形態に係る鳥類飛来防止装置をベランダに設置した状態を示す模式図である。
【図５】本考案の第２、第３の実施形態に係る鳥類飛来防止装置を示す全体斜視図である。
【考案を実施するための形態】
【００１０】
以下の図面を参照して、本考案の実施形態に係る鳥類飛来防止装置を説明し、本考案の理解に供する。しかし、以下の説明は本考案の実用新案登録請求の範囲に記載の考案を限定するものではない。
【００１１】
図１〜図４を参照して、本考案の第１の実施形態に係る鳥類飛来防止装置１を説明する。
【００１２】
本考案の第１の実施形態に係る鳥類飛来防止装置１は、地球磁場とは全く異なる異常変動磁場を所望の場所に発生させ、これによって、飛行方向を決定するために鳥類が頭部に備える生物磁石（磁鉄鉱）を効果的に混乱させて、設置場所に鳥類が近づくことを確実に防止することができるものである。
この鳥類飛来防止装置１は、支柱１０と、水平軸２０と、連結体３０と、プロペラ体４０と、磁石体５０と、尾翼体６０とで構成される。
【００１３】
前記支柱１０は、水平軸２０を回動自在に支持すると共に、鳥類飛来防止装置１を所望の設置箇所に設置するための支持台となるものである。本実施形態においては、支柱１０として、金属製のパイプ管を用いる構成としてある。
また、支柱１０の上端には、ボルトＢを挿通させるための貫通孔Ｋを設けてある。
なお、支柱１０の材質や形状などはこのようなものに限るものではなく、一定の強度を備えるものであれば、如何なるものを用いてもよい。好適には、鳥類飛来防止装置１は屋外に設置することが多いものであることから、耐久性、防錆性に優れた材質とすることが望ましい。
【００１４】
前記水平軸２０は、前部にプロペラ体４０を取り付けると共に、後部に尾翼体６０を取り付け、支柱１０の上端部に回動自在に垂設されるものである。
本実施形態においては図１〜図３に示すように、この水平軸１０は、前方部分を構成する前方水平軸２１と、後方部分を構成する後方水平軸２２とからなる分割体で構成されると共に、連結体３０を介して支柱１０の上端部に回動自在に垂設される。
【００１５】
前記前方水平軸２１は、プロペラ体４０を支持するためのもので、前側端部にプロペラ体４０が回転自在に取り付けられ、後側端部が連結体３０と連結される。なお、前方水平軸２１の後側端部には、ボルトＢを挿通させるための貫通孔Ｋを設けてある。
また、前記後方水平軸２２は、尾翼体６０を支持するためのもので、前側端部が連結体３０と連結され、後側端部に尾翼体６０が取り付けられる。なお、後方水平軸２２の前側端部には、ボルトＢを挿通させるための貫通孔Ｋを設けてある。
また、本実施形態においては、この水平軸２０は、支柱１０と同じ金属製のパイプ管で形成されている。勿論、水平軸２０の材質や形状などはこのようなものに限るものではなく、一定の強度を備えるものであれば、如何なるものを用いてもよい。好適には、耐久性、防錆性に優れた材質とすることが望ましい。
【００１６】
前記連結体３０は、支柱１０の上端部に水平軸２０を回動自在に垂設させるためのものである。
本実施形態においては、この連結体３０は、支柱連結部３１と水平軸連結部３２とで構成される。
【００１７】
前記支柱連結部３１は、水平軸連結部３２を回動自在に保持すると共に、支柱１０を連結させるためのものである。本実施形態においては、図３に一部を示すように、支柱連結部３１として、細長い略円柱状部材を用いる構成としてある。より具体的には、円柱状部材で形成される本体３１ａの下端に本体３１ａよりも小径且つ支柱１０の内径未満の外径を備える円柱状の差し込み用凸部３１ｂを突設させて設け、本体３１ａの上端に本体３１ａよりも大径の外径を備える円柱状の嵌合用凸部３１ｃを突設させて設ける略円柱状部材を用いる構成としてある。また、差し込み用凸部３１ｂには、ボルトＢを挿通させる貫通孔Ｋを設けてある。
このような構成からなる支柱連結部３１においては、差し込み用凸部３１ｂを支柱１０に差し込んだ状態でボルトＢとナットＮとで固定することで、支柱連結部３１と支柱１０とを連結させることができる。また、嵌合用凸部３１ｃを水平軸連結部３２に設けるベアリング（図示しない。）に嵌合させることで、支柱連結部３１に水平軸連結部３２を回動自在に保持することができる。
また、本実施形態においては、本体３１ａ、差し込み用凸部３１ｂ、嵌合用凸部３１ｃを樹脂で一体成形する構成としてある。勿論、支柱連結部３１の形成方法や、支柱連結部３１を形成する材質などは本実施形態のものに限るものではなく、適宜変更可能である。
【００１８】
前記水平軸連結部３２は、前方水平軸２１と後方水平軸２２とを、それぞれ支柱１０と直交する方向に連結させた状態（水平軸２０を支柱１０の上端部に垂設させた状態）で、支柱連結部３１の上端に回動自在に固定させるためのものである。本実施形態においては、図３に示すように、水平軸連結部３２として、略Ｔ字状部材を用いる構成としてある。より具体的には、嵌合用凸部３１ｃを嵌合可能なベアリング（図示しない。）を内部に有する筒状の本体３２ａと、本体３２ａの外周における水平方向の対向する位置に設ける一対の筒状からなる水平軸嵌合用アーム３２ｂとで構成される略Ｔ字状部材を用いる構成としてある。また、一対の水平軸嵌合用アーム３２ｂには、ボルトＢを挿通させる貫通孔Ｋをそれぞれ設けてある。
このような構成からなる水平軸連結部３２においては、本体３２ａに内蔵させるベアリングに嵌合用凸部３１ｃを嵌合させることで、支柱連結部３１の上端に水平軸連結部３２を回動自在に固定することができる。また、一対の水平軸嵌合用アーム３２ｂに、前方水平軸２１と後方水平軸２２とをそれぞれ嵌合させた状態で、ボルトＢとナットＮを用いて固定することで、前方水平軸２１と後方水平軸２２とを支柱１０の上端部に回動自在に垂設することができる。
また、本実施形態においては、本体３２ａ、水平軸嵌合用アーム３２ｂを、支柱連結部３１を形成する樹脂と同じ樹脂で一体成形する構成としてある。勿論、水平軸連結部３２を形成する材質などは本実施形態のものに限るものではなく、適宜変更可能である。
【００１９】
前記プロペラ体４０は、自然風を受けて回転することで、異常磁場の変動性を生み出すためのものである。
このプロペラ体４０は、図１〜図３に示すように、支持軸４１と、プロペラ羽根４２とで構成される。
【００２０】
前記支持軸４１は、プロペラ羽根４２を支持すると共に、プロペラ体４０を前方水平軸２１に回動自在に固定するための土台となるものである。
この支持軸４１は、主軸４１ａと、連結部４１ｂと、磁石体保持部４１ｃとで構成される。
【００２１】
前記主軸４１ａは、支持軸４１の骨格を構成するものである。本実施形態においては、図１〜図３に示すように、樹脂製の細長い円柱状部材で主軸４１ａを形成してある。勿論、主軸４１ａを形成する材質、形状などは本実施形態のものに限るものではなく、適宜変更可能である。なお、本実施形態においては、主軸４１ａを形成する樹脂として、連結体３０を形成する樹脂と同じ樹脂を用いる構成としてある。
【００２２】
前記連結部４１ｂは、プロペラ体４０を前方水平軸２１に回動自在に固定するためのものである。本実施形態においては、図１〜図３に一部を示すように、樹脂製の筒状部材で連結部４１ｂを形成する構成としてある。更に、連結部４１ｂを、主軸４１ａを形成する樹脂と同じ樹脂で一体成形する構成としてある。
なお、図示していないが、連結部４１ｂには、前方水平軸２１の前側端部を嵌合可能なベアリングが内蔵されており、このベアリングに前方水平軸２１の前側端部を嵌合させることで、前方水平軸２１の前側端部に支持軸４１が回動自在に固定される。
【００２３】
前記磁石体保持部４１ｃは、支持軸４１に磁石体５０を固定するためのものである。本実施形態においては、図１〜図３に示すように、中央に凹みを有する樹脂製の半球状部材で磁石体保持部４１ｃを形成する構成としてある。更に、主軸４１ａの前方側端面に一定間隔を空けて磁石体保持部４１ｃを４つ設ける構成としてある。
更に、主軸４１ａを形成する樹脂を用いて、磁石体保持部４１ｃと主軸４１ａとを一体成形する構成としてある。
勿論、磁石体保持部４１ｃの材質、形状、数、配置位置などは本実施形態のものに限るものではなく、適宜変更可能である。
【００２４】
前記プロペラ羽根４２は、自然風を受けて回転する羽根を構成するものである。本実施形態においては、図１〜図３に示すように、支持軸４１の両端に、一対のプロペラ羽根４２を固設して設ける構成としてある。更に、プロペラ羽根４２を、樹脂製の平板状部材で形成すると共に、一対の平板状のプロペラ羽根４２を、水平軸２０を対称軸として線対称な向きに傾斜させて配置する構成としてある。
更に、主軸４１ａを形成する樹脂を用いて、プロペラ羽根４２と主軸４１ａとを一体成形する構成としてある。
勿論、プロペラ羽根４２の材質、形状、数、配置位置などは本実施形態のものに限るものではなく、自然風を受けて回転可能な構成であれば、如何なる構成としてもよい。
【００２５】
前記磁石体５０は、地球磁場とは全く異なる異常変動磁場を所望の場所に発生させるための磁力源となるものである。本実施形態においては、磁石体５０として、磁石体保持部４１ｃに嵌合可能な半球状の磁石を用いる構成としてある。
なお、磁石体５０としては、鳥類の生物磁石がマグネタイトであることから、マグネタイトを原料とし、異方性に優れたフェライト磁石を用いることが望ましい。また、磁力については、複数個の磁石体５０を磁石体保持部４１ｃに保持させた状態において、０．５ガウス程度の磁力線Ｇが図２に示すように横方向に連続的に分布される表面磁力（表面が１０００ガウス強）を有するものを用いることが望ましい。勿論、このような磁力に限るものではなく、設置場所や用いる磁石体５０の形状、個数に合わせて発生させる磁力の大きさは適宜変更可能である。
なお、複数個の磁石体５０を用いる場合には、図２に示すように、隣接する磁石体５０が発生する磁力線Ｇが広がる分布となるような間隔をもって複数個の磁石体５０を磁石体保持部４１ｃに保持させることが望ましい。
【００２６】
前記尾翼体６０は、自然風を受けてプロペラ体４０を自然風の向きに向かせるためのものである。
この尾翼体６０は、図１〜図３に示すように、尾翼６１と、連結部６２とで構成される。
【００２７】
前記尾翼６１は、尾翼体６１の羽根部を構成するものである。本実施形態においては、略扇形状の樹脂製の尾翼とする構成としてある。勿論、尾翼６１の素材、形状、大きさ、厚みなどは本実施形態のものに限るものではなく、適宜変更可能である。
【００２８】
前記連結部６２は、尾翼体６０と後方水平軸２２とを連結させるためのものである。
本実施形態においては、細長い筒状部材で連結部６２を形成する構成としてある。具体的には、内径が後方水平軸２２の外径よりもやや大きい樹脂製の筒状部材で連結部６２を形成してある。そして、後方水平軸２２を連結部６２に差し込むことで、尾翼体６０と後方水平軸２２とを連結可能な構成としてある。
また、本実施形態においては、連結体３０を形成する樹脂と同じ樹脂を用いて、連結部６２と尾翼６１とを一体成形する構成としてある。
なお、連結部６２の材質、形状、長さ、厚みなどは本実施形態のものに限るものではなく、適宜変更可能である。
【００２９】
このような構成からなる鳥類飛来防止装置１は、本実施形態においては、数種類のパーツに予め組み立てられた状態で包装袋に収納されて商品として販売され、購入者が組み立てて完成させる構成とされている。具体的には図３に示すように、前方水平軸２１の前側端部が連結部４１ｂに内蔵されるベアリングに嵌合された状態で１つのパーツが構成されている。また、支柱連結部３１の嵌合用凸部３１ｃを水平軸連結部３２の本体３２ａに内蔵させるベアリングに嵌合させた状態で１つのパーツが構成されている。また、後方水平軸２２を尾翼体６０の連結部６２に差し込んだ状態で後方水平軸２２と尾翼体６０とが連結された状態で１つのパーツが構成されている。更に、支柱１０単独で１つのパーツが構成されている。このように、本実施形態に係る鳥類飛来防止装置１においては、４つのパーツが予め組み立てられた状態となっている。
そして、このような状態な状態にある各パーツは、使用時においては、まず支柱１０の上端に差し込み用凸部３１ｂを差し込み、ボルトＢとナットＮとをスパナ９０とＬ型レンチ１００とを用いて固定し、支柱１０と連結体３０とを一体化させる。その後、一対の水平軸嵌合用アーム３２ｂの一方に前方水平軸２１の後側端部を差し込むと共に、ボルトＢとナットＮとをスパナ９０とＬ型レンチ１００とを用いて固定する。また、他方の水平軸嵌合用アーム３２ｂに後方水平軸２２の前側端部を差し込むと共に、ボルトＢとナットＮとをスパナ９０とＬ型レンチ１００とを用いて固定する。これによって、本考案の実施形態に係る鳥類飛来防止装置１が組み立てられる。
そして、このように組み立てられた鳥類飛来防止装置１は、図２、図４に示すように、固定用紐８０を介してベランダ柵７０の所望の位置にくくりつけることで使用する。
【００３０】
このような構成からなる本考案の第１の実施形態に係る鳥類飛来防止装置１は、以下の効果を奏する。
【００３１】
鳥の被害を受ける場所に支柱１０を固定させるだけで鳥類飛来防止装置１を容易に設置することができる。また、水平軸２０は、後部の尾翼６１を備える尾翼体６０によって最も風を受けやすい状態となり、前部のプロペラ羽根４２を備えるプロペラ体４０が自然風を受けて自動的に回転する。よって、自然風を動力源として磁石体５０を回転させることができ、磁石体５０を固定して設置した状態では得られない異常磁場の変動性を効果的に高めることができる。また、自然風の強弱によってプロペラ体４０の回転速度、移動速度が変化するので、一定の移動速度でなく、常に磁石体５０がつくる異常磁場を変化させることができ、磁場の乱れを大きくさせ、鳥類の飛来防止効果を一段と効果的に高めることができる。
【００３２】
また、水平軸２０を、前方水平軸２１と後方水平軸２２とからなる分割体で構成すると共に、連結体３０を介して前方水平軸２１と後方水平軸２２とを連結させる構成とすることで、設置前における鳥類飛来防止装置１の小型化を図ることができる。
【００３３】
また、支持軸４１の両端に平板状のプロペラ羽根４２を一対設けると共に、一対の平板状のプロペラ羽根４２を、水平軸２０を対称軸として線対称な向きに傾斜させて配置する構成とすることで、自然風を一段と効率的に受けて回転可能なプロペラ羽根４２とすることができる。
【００３４】
また、数種類（本実施形態においては４種類）のパーツに予め組み立てられていると共に、数種類のパーツを所定箇所に差し込んだ状態で、ボルトＢとナットＮとをスパナ９０とＬ型レンチ１００とを用いて固定することで、組み立てが完了する構成とすることで、極めて設置が容易な鳥類飛来防止装置１とすることができる。
【００３５】
更に、連結体３０、プロペラ体４０、尾翼体６０を構成する各構成要素を一体成形を用いて製造すると共に、連結体３０、プロペラ体４０、尾翼体６０を形成する材質として同じ樹脂を用いる構成とすることで、製造効率が良く、省コスト化が可能な装置とすることができる。
【００３６】
次に図５を参照して、本考案の第２、第３の実施形態に係る鳥類飛来防止装置２、３を説明する。なお、図５においては、既述した本考案の第１の実施形態に係る鳥類飛来防止装置１と同一機能を果たすものには同一番号を付し、以下詳細な説明は省略するものとする。
【００３７】
まず図５（ａ）を参照して、本考案の第２の実施形態に係る鳥類飛来防止装置２は、支柱１０の上端部に回動自在に垂設される水平軸２０を細長い樹脂製の１本の棒状部材で形成すると共に、水平軸２０の後部に樹脂製の台形形状からなる尾翼６１を水平軸２０と一体成形する構成としてある。よって、本実施形態においては、水平軸２０を分割体とせず、また、尾翼６１のみで尾翼体６０を形成する構成としてある。
また、飛行機のプロペラのような樹脂製の４枚のプロペラ羽根４２のみでプロペラ体４０を形成する構成としてある。また、プロペラ羽根４２は、２枚の羽根を一組としてアルミ薄板で一体成形する構成とし、中央部分にボルトＢを挿通させる貫通孔（図示しない。）を設けてある。そして、この貫通孔にボルトＢを挿通させて、水平軸２０の先端に設けたねじ溝（図示しない。）に螺合させることで、プロペラ羽根４２を水平軸２０の先端に回転自在に固定する構成としてある。更に、プロペラ羽根４２に接着剤を介して磁石体５０を貼り付ける構成としてある。
このように、プロペラ羽根４２をアルミ薄板で形成することで、人の手で適宜形状に変形可能なものとすることができ、一段と効率的に風を受けることが可能な装置とすることができる。また、水平軸２０を分割体とせず、プロペラ羽根４２のみでプロペラ体４０を形成し、且つ尾翼６１のみで尾翼体６０を形成する構成とすることで、部材数の低減を図ることができ、省コスト化を図ることが可能な装置とすることができる。
勿論、水平軸２０、尾翼６１、プロペラ羽根４２の材質は本実施形態のものに限るものではなく、適宜変更可能である。
【００３８】
次に、図５（ｂ）を参照して、本考案の第３の実施形態に係る鳥類飛来防止装置３は、既述した本考案の第２の実施形態に係る鳥類飛来防止装置２に対して、支柱１０、水平軸２０、プロペラ羽根４２、尾翼６１の形状を変形させたもので、その他の構成は既述した本考案の第２の実施形態に係る鳥類飛来防止装置２と同様な構成とするものである。よって、以下では異なる構成についてのみ説明するものとする。
具体的には、本実施形態においては、支柱１０をやや太い円柱状部材で形成する構成としてある。また、水平軸２０を、先端及び後端がしぼんだやや太い略円柱状部材で形成する構成としてある。更に、飛行機のプロペラのような樹脂製の３枚の独立したプロペラ羽根４２のみでプロペラ体４０を形成する構成としてある。
このような構成も本考案の範囲内に入るものである。
【００３９】
なお、既述した本考案の実施形態に係る鳥類飛来防止装置１、２、３においては、プロペラ体４０に磁石体５０を取り付ける構成として、磁石体保持部４１ｃに磁石体５０を嵌合させる構成と、接着剤を介してプロペラ羽根４２に磁石体５０を貼り付ける構成とを用いたが、プロペラ体４０に磁石体５０を取り付ける構成はこれらに限るものではなく、プロペラ体４０に磁石体５０を取り付けることが可能なものであれば、如何なる構成としてもよい。
【産業上の利用可能性】
【００４０】
本考案の鳥類飛来防止装置は、簡易な構成で設置が容易であると共に、飛来防止効果を広範囲に作用させることができることから、鳥類飛来防止装置の産業分野において有用であり、産業上の利用可能性が大きい。
【符号の説明】
【００４１】
１        鳥類飛来防止装置
２        鳥類飛来防止装置
３        鳥類飛来防止装置
１０      支柱
２０      水平軸
２１      前方水平軸
２２      後方水平軸
３０      連結体
３１      支柱連結部
３１ａ    本体
３１ｂ    差し込み用凸部
３１ｃ    嵌合用凸部
３２      水平軸連結部
３２ａ    本体
３２ｂ    水平軸嵌合用アーム
４０      プロペラ体
４１      支持軸
４１ａ    主軸
４１ｂ    連結部
４１ｃ    磁石体保持部
４２      プロペラ羽根
５０      磁石体
６０      尾翼体
６１      尾翼
６２      連結部
７０      ベランダ柵
８０      固定用紐
９０      スパナ
１００    Ｌ型レンチ
Ｂ        ボルト
Ｋ        貫通孔
Ｎ        ナット
【図１】
0003226269.tif 000003
【図２】
0003226269.tif 000004
【図３】
0003226269.tif 000005
【図４】
0003226269.tif 000006
【図５】
0003226269.tif 000007